(57)【特許請求の範囲】
【請求項１】
脱穀装置（１）の穀稈移送口（２）に沿うフィードチエン（３）を、前部のフィードチエン支軸（４）の回りに外側へ回動させてこの移送口（２）を開放可能に設け、前記フィードチエン支軸（４）近くに設けられる駆動スプロケット（５）と、脱穀装置（１）の揺動選別棚（６）を揺動する選別棚駆動軸（７）との間に、該フィードチエン（３）の開閉によって連動を断接しうるカップリング（８）を設け、該カップリング（８）はギヤケース（４０）に軸受されるスプロケット駆動軸（４４）と駆動スプロケット（５）とによって構成し、前記スプロケット駆動軸（４４）部には、シフタピン（４７）の出入によってカムクラッチ（４８）が伝動を断接するように構成するにあたり、前記シフタピン（４７）は、ギヤケース（４０）に一体に取付けられるモータ（Ｍ）によって、回動アーム（４９）、ロッド（５０）、アーム（５１）等のリンク機構を介して連動して出入する構成とし、前記モータ（Ｍ）が作動すると前記シフタピン（４７）が出入りしてカムクラッチ（４８）の伝動の断接を行うことで前記フィードチエン（３）の伝動の入切を行うように構成したことを特徴とするコンバインのフィードチエン伝動装置。
【発明の詳細な説明】
【０００１】
【発明の属する技術分野】
この発明は、コンバインのフィードチエン伝動装置に関し、脱穀室の穀稈移送口を開閉可能とするフィードチエンの伝動構成を簡単化するものである。
【０００２】
【発明が解決しようとする課題】
コンバインの脱穀装置では、脱穀室の穀稈移送口に沿って張設されるフィードチエンを、この前端部を中心として後端側を外側方へ開動させて、この穀稈移送口部を開放できる構成として、メンテナンスを容易化する形態がある。このような形態では、フィードチエンの伝動構成が煩雑となり易い。
【０００３】
【課題を解決するための手段】
この発明は、脱穀装置（１）の穀稈移送口（２）に沿うフィードチエン（３）を、前部のフィードチエン支軸（４）の回りに外側へ回動させてこの移送口（２）を開放可能に設け、前記フィードチエン支軸（４）近くに設けられる駆動スプロケット（５）と、脱穀装置（１）の揺動選別棚（６）を揺動する選別棚駆動軸（７）との間に、該フィードチエン（３）の開閉によって連動を断接しうるカップリング（８）を設け、該カップリング（８）はギヤケース（４０）に軸受されるスプロケット駆動軸（４４）と駆動スプロケット（５）とによって構成し、前記スプロケット駆動軸（４４）部には、シフタピン（４７）の出入によってカムクラッチ（４８）が伝動を断接するように構成するにあたり、前記シフタピン（４７）は、ギヤケース（４０）に一体に取付けられるモータ（Ｍ）によって、回動アーム（４９）、ロッド（５０）、アーム（５１）等のリンク機構を介して連動して出入する構成とし、前記モータ（Ｍ）が作動すると前記シフタピン（４７）が出入りしてカムクラッチ（４８）の伝動の断接を行うことで前記フィードチエン（３）の伝動の入切を行うように構成したことを特徴とするコンバインのフィードチエン伝動装置の構成とする。
【０００４】
【発明の効果】
脱穀装置（１）の伝動時は、選別棚駆動軸（７）が伝動されると、揺動選別棚（６）が揺動されて脱穀物を受けて移送しながら揺動選別すると共に、この選別棚駆動軸（７）からカップリング（８）の接続を経て駆動スプロケット（５）を伝動してフィードチエン（３）を駆動し、穀稈を挾持して移送口（２）を移送させながら脱穀させる。
【０００５】
メンテナンス時等でこのフィードチエン（３）をフィードチエン支軸（４）の回りに外側方へ回動すると、このフィードチエン支軸（４）近くの駆動スプロケット（５）と選別棚駆動軸（７）との間のカップリング（８）連動が断たれ、穀稈移送口（２）が開放される。
このようにフィードチエン（３）を前部のフィードチエン支軸（４）回りに内外側へ開閉回動することにより、このフィードチエン（３）の駆動スプロケット（５）と揺動選別棚（６）を揺動する選別棚駆動軸（７）との間のカップリング（８）連動を断接することができ、伝動構成及び連動の断接操作を簡単化できる。また、メンテナンス時にフィードチエン（３）を脱穀装置（１）から外すことができるので、メンテナンスがより容易に可能となる。
また、カップリング（８）はギヤケース（４０）に軸受されるスプロケット駆動軸（４４）と駆動スプロケット（５）とによって構成し、さらに、ギヤケース（４０）に一体的にモータ（Ｍ）を取り付けて構成し、モータ（Ｍ）の作動によってフィードチエン（３）の伝動の入切を行うように構成しているので、メンテナンス時にフィードチエン（３）を脱穀装置（１）から外すことで、これらの部材のメンテナンスが容易となる。
【０００６】
【発明の実施の形態】
コンバインは、クローラ走行装置９を有する車体１０上に、穀稈移送口２に沿ってフィードチエン３と挾扼杆１１とを有して移送穀稈の穂部を脱穀室１２に供給させて脱穀選別する脱穀装置１を搭載し、この前側には刈取装置の穀稈引起装置１３、刈刃装置１４、及び刈取穀稈を挾持搬送してフィードチエン３側へ搬送供給する穀稈搬送装置１５等を有する刈取フレーム１６を昇降自在に懸架している。車体１０のこれら刈取装置や脱穀装置１等と反対の側には、前側から後側に亘って、操縦台１７、ステップフロア１８、エンジンカバー１９上の操縦席２０、脱穀装置１の揚穀機２１から取出される脱穀選別穀粒を収容するグレンタンク２２、及びこのグレンタンク２２の穀粒を機外へ排出する排穀オーガ２３等を配置している。
【０００７】
前記脱穀装置１は、上部に扱胴２４を軸装する脱穀室１２と、後部に排稈室２５、及び吸引排塵機２６等を配置し、下部には脱穀物を受けて揺動移送しながら選別する揺動選別棚６と、圧風唐箕２７から該吸引排塵機２６へ選別風を通す選別風路２８、及び一番受樋２９、二番受樋３０等を配置している。
前記フィードチエン３は、脱穀室１２の穀稈移送口２の外側下辺部に沿って、前側の穀稈供給漏斗３１部から後側の排稈室２５部に亘って張設される。この穀稈移送口２は、下側の選別室３２の揺動選別棚６の横側面部に亘って開放されるように形成されて、この穀稈移送口２の下部内側にあって脱穀網と揺動選別棚６部の外側を開閉しうるカバー３３が設けられ、このカバー３３の上部に沿って取付けられチエンフレーム３４にフィードチエン３を掛け渡している。
【０００８】
前記チエンフレーム３４は、前部を上下方向に沿う回動軸としてフィードチエン支軸４の回りに内外に回動させ、後端部のブラケット３５部を排稈室２５の外側壁フレーム３６に締付固定できる。フィードチエン支軸４は、脱穀フレーム３７から前方に突出させて、供給漏斗３１の前側下部の車体１０に立設の刈取フレーム１６懸架ブラケット３８に連結する支持フレーム３９に設けられ、このフィードチエン支軸４の抜き差しによって、カバー及びフィードチエン３等が着脱できる構成としている。このカバー３３はチエンフレーム３４の前記移送口２に対向した位置に取付けられる。
【０００９】
前記フィードチエン３を駆動する駆動スプロケット５は、供給漏斗３１下部の脱穀フレーム３７部に取付けられるギヤケース４０に軸支される。このギヤケース４０は前記揺動選別棚６を揺動するクランク軸状の選別棚駆動軸７の一端部を軸受けする。この選別棚駆動軸７からギヤ４１及びスプロケット軸４４等を介して駆動スプロケット５を伝動する。４３はテンションアームで、フィードチエン３を張圧する。
【００１０】
前記挾扼杆１１は、穀稈移送口２の上側部の設けられ、脱穀室１２の上側を開閉する脱穀カバー４２の移送口側端縁に沿って取付けられ、脱穀カバー４２を閉鎖したとき挾扼杆１１がフィードチエン３の上側に接圧される。
前記ギヤケース４０に軸受されるスプロケット駆動軸４４と、駆動スプロケット５とによってカップリング８が構成される。このカップリング８はドッグクラッチ形態で、スプロケット駆動軸４４の外側端に、前記フィードチエン支軸４の回りに開閉回動するチエンフレーム３４に支持された駆動スプロケット５の軸穴部が嵌合される。この駆動スプロケット５は、チエンフレーム３４に一体のブラケット４６に一体のスプロケット軸４５に回転自在に支持させる。
【００１１】
この駆動スプロケット５は、フィードチエン支軸４の後方にあって、チエンフレーム３４をこのフィードチエン支軸４の回りに回動することにより、脱穀フレーム３７側のスプロケット駆動軸４４に対して、ほぼこのスプロケット軸芯方向へ沿って移動して嵌合、離脱しうる。
なお、選別棚駆動軸７は、脱穀装置１の扱胴２４や唐箕２７等と共に、エンジン側から伝動される構成としている。
【００１２】
前記ギヤケース４０のスプロケット駆動軸４４部には、シフタピン４７の出入によってカムクラッチ４８が伝動を断接するように設けられる。このシフタピン４７は、ギヤケース４０に一体に取付けられるギヤドモータＭによって、回動アーム４９、ロッド５０、アーム５１等のリンク機構を介して連動される。カムクラッチ４８はばね５２でギヤ４１側へ押され、このギヤ４１との対向面部に咬合クラッチ爪５３，５４を形成して相互に咬合って選別棚駆動軸７側からフィードチエン３側へ伝動しうる。
【００１３】
前記カムクラッチ４８の回転周面には、螺旋状のカム面５５が外側に形成され、この内側に平坦なカム面５６が形成されて、二段形成で、半回転ピッチで形成される。各カム面５５，５６の終端にはストッパー５７が形成されてシフタピン４７と係合しうる。前記クラッチ爪５３，５４が離れた状態でシフタピン４７が平坦なカム面５６に乗り上がる。これによってカムクラッチ４８の逆回動をなくして、クラッチ爪５３と５４との干渉を発生させないようにしている。
【００１４】
前記モータＭは、手動操作できるが、刈取装置の上昇・下降によって自動的に電動される構成となっていて、刈取装置が非刈取高さに上昇すると、この刈取装置各部の伝動も停止されるが、同時にモータＭの電動でシフタピン４７が押込まれて、カムクラッチ４８に押付けられる。このカム面５５の摺動でカムクラッチ４８自体がばね５２に抗して移動されて、クラッッチ爪５４が５３から外れる。これによって選別棚駆動軸７からスプロケット駆動軸４４への伝動が断りとなり、フィードチエン３が自動停止される。
【００１５】
又、刈取装置が刈取高さに降下されて、刈取伝動開始時には、モータＭの電動でシフタピン４７が引き出されて、ばね５２力でカムクラッチ４８が押され、クラッチ爪５４が５３に咬合うこととなり、フィードチエン３の伝動が開始される。
前記揺動選別棚６は、シーブプレート５８の間隔を調節可能なグレンシーブ５９を有し、この各シーブプレート５８の一部横端には、シーブ調整アーム６０を設けて揺動選別棚フレーム６１の側面にピン６２枢支し、このシーブ調整アーム６０と各シーブプレート５８の横端との間は一連のプレート６３でピン６４連結して、このシーブ調整アーム６０を枢支ピン６２回り回動することにより、プレート６３を介して各シーブプレート５８の傾斜角度を変えてシーブ間隔を調整できる。６５は各シーブプレート６３の両側端のピン６４を案内するピン溝で、揺動選別棚フレーム６１に形成される。
【００１６】
前記揺動選別棚フレーム６１の外側面には、ワイヤブラケット６６が取付けられてアウタワイヤ６７の先端部を係止する。このインナワイヤ６８の先端部を前記シーブ調整アーム６０の下端部に連結し、このインナワイヤ６８の押引きでシーブプレート５８の間隔を調整できる。又、アウタワイヤ６７は揺動選別棚フレーム６１の横側を前方へ沿わせて、前記ギヤケース４０の下側を通して前方へ引き出す形態としている。６９はこのアウタワイヤ６７を脱穀フレーム３７に固定するブラケットである。
【００１７】
このようにシーブ調整用のワイヤ６７，６８を揺動選別棚６の前方へ引き出させることにより揺動選別棚６の揺動運動量を吸収するためのワイヤ６７，６８のたるみを確保し易い構成とすることができる。
【図面の簡単な説明】
【図１】  フィードチエン駆動部の平面図と、側面図。
【図２】  チエンフレーム部の平面図と、側面図、及び正面図。
【図３】  カップリング部の断面図。
【図４】  そのカムクラッチ部の正面図と、その側面図。
【図５】  ギヤケース部の側面図。
【図６】  そのカムクラッチ部の作動を示す断面図。
【図７】  揺動選別棚部の側面図。
【図８】  コンバイン全体の左側面図。
【図９】  その右側面図。
【符号の説明】
１  脱穀装置
２  穀稈移送口
３  フィードチエン
４  フィードチエン支軸
５  駆動スプロケット
６  揺動選別棚
７  選別棚駆動軸
８  カップリング
４０  ギヤケース
４４  スプロケット駆動軸
Ｍ  モータ
【図１】
0003671628.tif 000002
【図２】
0003671628.tif 000003
【図３】
0003671628.tif 000004
【図４】
0003671628.tif 000005
【図５】
0003671628.tif 000006
【図６】
0003671628.tif 000007
【図７】
0003671628.tif 000008
【図８】
0003671628.tif 000009
【図９】
0003671628.tif 000010